(57)【特許請求の範囲】
【請求項１】
著作権保護のための暗号化処理または違法コピーを防止するための暗号化処理を含む不正防止処理が施されたデジタル映像データを入力可能なデジタル端子と、
上記入力したデジタル映像データに施された上記不正防止処理の解除機能を有する復号回路と、
映像を表示する表示デバイスと、
上記表示デバイスの電子ビームの偏向を主として制御する偏向ヨークと、
上記偏向ヨークに供給する偏向電流波形を生成する偏向制御回路と、
上記表示デバイスの電子ビームの水平偏向を補助的に制御する走査速度変調コイルと、
上記走査速度変調コイルに供給する電流波形の生成を行う走査速度制御回路と、
上記復号回路における処理結果に基づき上記走査速度制御回路の制御を行う主制御回路と、
を備えた事を特徴とする走査速度変調機能を有するデジタル映像表示装置。
【請求項２】
上記復号回路は、上記入力したデジタル映像データを上記表示デバイスに表示する事が許可されている場合にのみ、上記不正防止処理の解除を行い、更に上記走査速度制御回路は、上記復号回路において不正防止処理の解除が行われた場合にのみ、上記走査速度変調コイルに供給するための電流波形を出力するように、上記主制御回路により制御される事を特徴とする請求項１記載の走査速度変調機能を有するデジタル映像表示装置。
【請求項３】
上記復号回路は、上記入力したデジタル映像データを上記表示デバイスに表示する事が許可されている場合にのみ、上記不正防止処理の解除を行い、更に上記走査速度制御回路は、上記復号回路において不正防止処理の解除が行われた場合にのみ、動作電力を供給されるように、上記主制御回路により制御される事を特徴とする請求項１記載の走査速度変調機能を有するデジタル映像表示装置。
【発明の詳細な説明】
【０００１】
【発明の属する技術分野】
本発明は映像表示装置に関し、特にデジタル映像データを入力して表示するテレビジョン受信機やモニタ装置等の走査速度変調回路に関する。
【０００２】
【従来の技術】
映像信号の輝度レベルの変動状況に応じて電子ビームの水平走査速度を可変制御し、映像信号の輪郭部分を強調する走査速度変調回路の例が、特開平４−３５４２７１号、特開平７−２２６１７２号公報等に記載されている。
【０００３】
【発明が解決しようとする課題】
上記従来例に記載の走査速度変調回路では、輝度信号の微分結果に応じた電流を走査速度変調コイル（ＶＭコイル）に流す事で電子ビームの走査速度変調を行っている。即ち、輝度信号の輪郭部分を微分回路により検出し、上記検出結果に比例した電流をＶＭコイルに流す事により磁界を発生させて電子ビームの走査速度の制御を行うものである。
【０００４】
近年、映像関連機器のデジタル化が進んでいる。デジタル化された映像データは複写を繰り返してもデータの劣化を生じず、このため映像コンテンツの著作権保護が一層重要となってきている。上記状況にしたがい、映像関連機器間の信号受け渡しをデジタルデータで行うデジタルＩ／Ｆでは、送り側機器にてデータの暗号化を行い、受け側機器では認証処理の後、データ受信が許可されている場合に限り暗号解除処理を施す電子認証処理システムを採用しているものが多い。また上記例において受け側機器がテレビジョン受信機のような映像表示機器の場合、電子認証処理において映像表示許可が得られなかった場合には、画面に何も表示しないのではなく、砂嵐状の画面を表示する等の処理を行う事が一般的である。
【０００５】
電子認証処理において映像表示許可が得られなかった場合に表示される上記砂嵐状画面は、輝度レベルが画面全体に亘って乱数的に変動する映像信号である。したがって、上記砂嵐状映像信号が入力された場合、上記従来例に記載の走査速度変調回路では画面全体を輝度信号の輪郭部分であると誤認識してＶＭコイルに不要な電流を流し続ける事になる。その結果、多大な電力を無駄に消費する、ＶＭコイル駆動デバイスが熱暴走する、等の不具合を生じる。
【０００６】
本発明の目的は、デジタルＩ／Ｆ及び電子認証処理システムを備えたデジタル映像表示装置において、映像表示許可が得られず、その結果画面に砂嵐状の映像信号等を表示する場合に、ＶＭコイルへの電流波形の供給を停止し、不要な電力消費等の不具合を回避する事が可能なデジタル映像表示装置を提供する事である。
【０００７】
【課題を解決するための手段】
上記目的を達成するために、本発明の走査速度変調機能を有するデジタル映像表示装置では、不正防止処理の施されたデジタル映像データを入力可能なデジタル端子と、上記入力したデジタル映像データに施された不正防止処理の解除機能を有する復号回路と、映像を表示する表示デバイスと、上記表示デバイスの電子ビームの偏向を主として制御する偏向ヨークと、上記偏向ヨークに供給する偏向電流波形を生成する偏向制御回路と、上記表示デバイスの電子ビームの水平偏向を補助的に制御する走査速度変調コイルと、上記走査速度変調コイルに供給する電流波形の生成を行う走査速度制御回路と、上記復号回路における処理結果に基づき上記走査速度制御回路の制御を行う主制御回路と、を備えた構成の走査速度変調機能を有するデジタル映像表示装置を用いる。
【０００８】
【発明の実施の形態】
以下、図面を用いて本発明の実施例を説明する。
【０００９】
図１は本発明におけるデジタル映像表示装置の実施例を説明するブロック図である。本実施例では、図１のデジタル映像表示装置をデジタルＩ／Ｆを備えた直視型テレビジョン受信機であるものとして、以下説明を行う。
【００１０】
図１において、１００は本発明の走査速度変調機能を有するデジタルテレビジョン受信機であり、１０１はデジタル化された映像データ及び上記映像データに付随する制御データを入力するデジタルインタフェース（Ｉ／Ｆ）、１１１はブラウン管、１１２は偏向ヨーク、１１３は走査速度変調コイル（ＶＭコイル）、１２１はデジタルＩ／Ｆ１０１からデジタル映像データ及び制御データを入力し、入力したデジタル映像データの再生許可認証処理及び暗号解除処理等を行い、アナログ信号に変換した映像信号及び水平同期信号、垂直同期信号を出力する認証／復号回路、１２２は認証／復号回路１２１から出力された映像信号に対して、必要に応じてスキャン変換処理やマトリクス変換処理、またブラウン管１１１をドライブするための信号処理、等を行う映像信号処理回路、１２３は認証／復号回路１２１から出力された水平同期信号及び垂直同期信号を入力して水平偏向波形及び垂直偏向波形の生成を行う偏向出力回路、１２４はデジタルテレビジョン受信機１００の各部を制御する主制御回路、１３１は微分回路、１３２はＶＭコイル１１３を駆動するための電流波形を生成して出力するＶＭコイル駆動回路である。なお、図１においては本発明の特徴をなす主要な構成ではないチューナ等の回路はその図示及び説明を省略している。
【００１１】
デジタルＶＴＲやデジタル放送受信用チューナ等の映像信号出力機器から出力された、暗号化されたデジタル映像データ及び上記デジタル映像データに付随する制御データは、図１のデジタルＩ／Ｆ１０１を介して認証／復号回路１２１に入力され、認証／復号回路１２１において、入力したデジタル映像データの電子認証処理及び復号処理が行われる。
【００１２】
電子認証処理は、デジタルテレビジョン受信機１００において、入力したデジタル映像データの再生が許可されているか否かの確認を行う処理であり、復号処理は、上記電子認証処理において、デジタルテレビジョン受信機１００におけるデジタル映像データの再生許可が確認された場合に、例えばＭＰＥＧ２方式等で圧縮符号化され、場合によっては更に暗号化されているデジタル映像データの復号を行う処理である。なお、上記の電子認証処理及びＭＰＥＧ２圧縮データの復号処理等に関しては、公知の一般的な信号処理でよく、また本発明の特徴をなす主要機能ではないため、本実施例での詳細な説明は省略する。
【００１３】
認証／復号回路１２１では、デジタルＩ／Ｆ１０１から入力したデジタル映像データがデジタルテレビジョン受信機１００における再生の許可された映像データである場合には、まず圧縮符号化データの復号処理を行い、更に復号した映像データのアナログ映像信号へ変換処理を行って、上記アナログ映像信号と水平同期信号、垂直同期信号を出力する。一方、デジタルテレビジョン受信機１００における再生が許可されていないデジタル映像データが入力された場合には、圧縮符号化データの復号処理は行わない。この場合は、認証／復号回路１２１は圧縮符号化データの復号処理を行わないままのデジタルデータをそのままアナログ信号に変換した映像信号と水平同期信号  及び垂直同期信号の出力を行う。上記の圧縮符号化データの復号処理を行っていないデジタルデータをそのままアナログ信号に変換した映像信号は、信号レベルが乱数的に変化する信号であり、画面に表示した場合には砂嵐状画面となる。
【００１４】
同時に認証／復号回路１２１は主制御回路１２４と通信を行い、デジタルＩ／Ｆ１０１から入力したデジタル映像データが、デジタルテレビジョン受信機１００における再生の許可されているデジタル映像データか否かを主制御回路１２４に知らせるようにする。主制御回路１２４は上記情報に基づき、デジタルテレビジョン受信機１００各部の制御を行う。
【００１５】
デジタルＩ／Ｆ１０１から入力したデジタル映像データがデジタルテレビジョン受信機１００における再生の許可されている映像データであり、認証／復号回路１２１から通常のアナログ映像信号及び水平同期信号、垂直同期信号が出力された場合、アナログ映像信号は映像信号処理回路１２２に、また水平同期信号及び垂直同期信号は偏向出力回路１２３に入力される。映像信号処理回路１２２では必要に応じてスキャン変換処理等を行って微分回路１３１に映像信号の輝度信号を出力し、更にマトリクス変換処理、直流再生、色相調整、ブラウン管１１１をドライブするための電圧増幅処理、等の信号処理を行ってブラウン管１１１のカソードに映像信号を出力する。また、ブラウン管１１１のカソードは映像信号処理回路１２２から入力したドライブ信号に応じた電子ビームをブラウン管１１１の蛍光面に射出して画面上に映像を表示する。一方、偏向出力回路１２３では、入力した水平同期信号及び垂直同期信号に同期させて偏向波形を生成し、偏向ヨーク１１２を介して電子ビームの水平偏向及び垂直偏向を制御する。
【００１６】
映像信号処理回路１２２から出力され、微分回路１３１に入力された輝度信号が、例えば図２（ａ）に示すような波形の輝度信号である場合、微分回路１３１から出力される微分信号は図２（ｂ）に示すような波形となる。微分回路１３１から出力された微分信号（図２（ｂ））はＶＭコイル駆動回路１３２に入力され、ここで図２（ｂ）の微分信号に比例した電流波形に変換されてＶＭコイル１１３に供給される。
【００１７】
ブラウン管１１１のカソードから射出された電子ビームの、偏向ヨーク１１２の制御による水平走査速度はほぼ一定である。しかし、ＶＭコイル１１３に図２（ｂ）の波形に比例する電流波形が供給される事により、電子ビームの水平走査速度は図２（ｃ）に示すように変化する。その結果、電子ビームの走査速度が速くなる部分では、ブラウン管１１１の管面での輝度は暗くなり、逆に走査速度が遅くなる部分では明るくなる。この結果、ブラウン管１１１の管面上での輝度分布は、図２（ｄ）に示すように輪郭部分の強調された映像となる。
【００１８】
一方、デジタルＩ／Ｆ１０１から入力したデジタル映像データがデジタルテレビジョン受信機１００における再生の許可されていない映像データである場合も、上記説明と同様に、認証／復号回路１２１から出力された砂嵐状映像信号が映像信号処理回路１２２に、水平同期信号及び垂直同期信号は偏向出力回路１２３に入力される。
【００１９】
映像信号処理回路１２２では、この場合も同様に、スキャン変換処理やマトリクス変換処理、直流再生、色相調整、等の信号処理、更にブラウン管１１１をドライブするための電圧増幅処理等が必要に応じて行われる。偏向出力回路１２３でも、入力した水平同期信号及び垂直同期信号に同期した偏向波形の生成が行われる。
【００２０】
砂嵐状画面は、本実施例では図３（２）（ａ）に示すような表示画面であり、この場合の砂嵐状映像信号は図３（２）（ｂ）に示すような映像信号となる。この映像信号に対して、図３（１）に示すカラーバー信号の場合と同様に、上記で説明した微分回路１３１及びＶＭコイル駆動回路１３２における信号処理を行った場合、ＶＭコイル１１３に供給される電流波形は図３（２）（ｃ）に示すような波形となる。この場合、ＶＭコイル１１３は図３（２）（ｃ）の電流波形に従って走査速度変調を行う事になる。
【００２１】
しかし、図３（２）（ａ）のような画面の表示は、デジタルテレビジョン受信機１００における再生許可が得られないデジタル映像データが入力されている事を、デジタルテレビジョン受信機１００の所有者に対して警告する事が目的であり、視聴を目的としたものではない。したがって、輪郭強調をはじめとする一切の補正処理は不要である。逆に、図３（２）のような映像信号に対して走査速度変調等の補正処理を行う事は電力消費の無駄を増やす事になり、更にはＶＭコイル駆動回路１３２における出力デバイスの熱暴走の誘発や不要輻射の増大等の問題点を生じやすくする。
【００２２】
したがって、本実施例のデジタルテレビジョン受信機１００では、図４に示すように、デジタルテレビジョン受信機１００における再生の許可されていないデジタル映像データがデジタルＩ／Ｆ１０１から入力された場合には、主制御回路１２４により、ＶＭコイル１１３への電流波形の供給を停止するような制御を行う。例えば、微分回路１３１及びＶＭコイル駆動回路１３２への電力供給を停止する事により電流波形の生成処理を停止させても良いし、ＶＭコイル駆動回路１３２の電流波形出力のみを停止させても良い。このように制御する事により、ＶＭコイル１１３による走査速度変調が行われない事になり、ＶＭコイル１１３における電力消費の無駄、ＶＭコイル駆動回路１３２の出力デバイスの熱暴走、セットの不要輻射増大、等の問題を回避する事が可能となる。また、微分回路１３１及びＶＭコイル駆動回路１３２への電力供給を停止する事によりＶＭコイル１１３への電流波形の供給を停止した場合には、微分回路１３１及びＶＭコイル駆動回路１３２での信号処理に必要となる電力消費分も削減できる。
【００２３】
以上の処理により、デジタルテレビジョン受信機１００は、デジタルＩ／Ｆ１０１より入力したデジタル映像データが上記デジタルテレビジョン受信機１００における再生の許可された映像データである場合には、従来どおりの画面表示及び走査速度変調処理が可能であり、またデジタルＩ／Ｆ１０１より入力したデジタル映像データが上記デジタルテレビジョン受信機１００における再生の許可されていない映像データである場合には、走査速度変調等の不要な処理を停止する事により消費電力の削減、出力デバイスの熱暴走の回避、不要輻射の増大の防止、等を実現する事が可能となる。
【００２４】
なお、上記実施例とは異なる例として、映像信号処理回路１２２に砂嵐状映像信号を生成するノイズ生成機能を持たせ、デジタルＩ／Ｆ１０１より入力したデジタル映像データが上記デジタルテレビジョン受信機１００における再生の許可されていない映像データである場合には、映像信号処理回路１２２は主制御回路１２４の指示により、認証／復号回路１２１の出力に代えて映像信号処理回路１２２で生成した砂嵐状映像信号を微分回路１３１及びブラウン管１１１のカソードに出力するような構成であっても良い。この場合も上記第１の実施例と同様の効果を得る事ができる。
【００２５】
また、デジタルＩ／Ｆ１０１から入力したデジタル映像データが、デジタルテレビジョン受信機１００における再生の許可された映像データであっても、例えば、上記デジタル映像データに付随してデジタルＩ／Ｆ１０１から入力した制御データにより、走査速度変調処理の禁止が求められている場合には、その旨を主制御回路１２４に通信し、上記説明と同様の処理でＶＭコイル１１３への電流波形の供給を停止させる事により、上記実施例と同様に電力消費の低減及び出力デバイスの熱暴走の防止、不要輻射の増大の回避が可能となる。
【００２６】
なお上記説明の実施例では、上記機能を実現するデジタル映像表示装置をデジタルＩ／Ｆを備えた直視型テレビジョン受信機であるものとして説明を行ったが、上記の他、デジタルＩ／Ｆを備えたブラウン管投射型プロジェクションテレビやデータ表示用ディスプレイ装置等に本発明を適用しても、上記説明の実施例と同様の効果が得られる事はいうまでも無い。
【００２７】
【発明の効果】
本発明の走査速度変調機能を有するデジタル映像表示装置を用いる事により、通常の映像信号を表示する際には従来どおり輝度信号の輪郭部分の強調処理を行いつつ、上記デジタル映像表示装置における再生許可の得られない映像データを入力した場合にはＶＭコイルにおける不要な電力消費、ＶＭコイル駆動用デバイスの熱暴走、不要輻射の増大、等の不具合を抑える事が可能となる。
【００２８】
【図面の簡単な説明】
【図１】本発明における走査速度変調機能を有するデジタル映像表示装置の１実施例を説明するブロック図である。
【図２】図１の微分回路１３１及びＶＭコイル駆動回路１３２の動作を説明する波形図である。
【図３】図１の走査速度変調機能を有するデジタル映像表示装置で画面表示される映像の概念図及び図１の微分回路１３１及びＶＭコイル駆動回路１３２の動作を説明する波形図である。
【図４】図１の走査速度変調機能を有するデジタル映像表示装置で画面表示される映像の概念図及び図１の微分回路１３１及びＶＭコイル駆動回路１３２の、本デジタル映像表示装置での再生許可を得られない映像データに対する動作を説明する波形図である。
【符号の説明】
１００・・・デジタルテレビジョン受信機、１０１・・・デジタルインタフェース、１１１・・・ブラウン管、１１２・・・偏向ヨーク、１１３・・・走査速度変調コイル、１２１・・・認証／復号回路、１２２・・・映像信号処理回路、１２３・・・偏向出力回路、１２４・・・主制御回路、１３１・・・微分回路、１３２・・・ＶＭコイル駆動回路。
【図１】
0003870699.tif 000002
【図２】
0003870699.tif 000003
【図３】
0003870699.tif 000004
【図４】
0003870699.tif 000005